(57)【要約】  撮像装置１００に備える赤外線吸収フィルム１４を、撮像装置１００を構成する下レンズ１１と絞り板１３との間に挟んで固定することによって、接着剤を使用せずに、赤外線吸収フィルム１４を撮像装置１００に容易且つ好適に組み付けることを可能にした。
2007099845.tif 000002
【特許請求の範囲】
【請求項１】
撮像素子と、
前記撮像素子に被写体光を導く複数の光学部材と、
前記撮像素子及び前記光学部材を覆う外枠部材と、を備える撮像装置であって、
前記被写体光に含まれる赤外光を前記撮像素子に到達させないようにカットする赤外線カット部材を、前記光学部材間に挟んで固定したことを特徴とする撮像装置。
【請求項２】
撮像素子と、
前記撮像素子に被写体光を導く光学部材と、
前記撮像素子及び前記光学部材を覆う外枠部材と、を備える撮像装置であって、
前記被写体光に含まれる赤外光を前記撮像素子に到達させないようにカットする赤外線カット部材を、前記光学部材と前記外枠部材との間に挟んで固定したことを特徴とする撮像装置。
【請求項３】
前記赤外線カット部材は、０．０２ｍｍ以上、０．２ｍｍ以下の厚さを有することを特徴とする請求の範囲第１項又は第２項に記載の撮像装置。
【請求項４】
前記赤外線カット部材は、有機材料からなることを特徴とする請求の範囲第１項〜第３項のいずれか一項に記載の撮像装置。
【請求項５】
前記光学部材と前記外枠部材とが接着剤で密着されることにより、前記撮像素子が前記外枠部材内に封止されることを特徴とする請求の範囲第１項〜第４項のいずれか一項に記載の撮像装置。
【請求項６】
前記赤外線カット部材に入射する対角の主光線と、前記光学部材の光軸のなす角度は、３０°以下であることを特徴とする請求の範囲第１項〜第５項のいずれか一項に記載の撮像装置。
【発明の詳細な説明】
【技術分野】
【０００１】
本発明は、撮像装置に係り、特に携帯電話機やパーソナルコンピュータ等の電子機器に搭載可能な撮像装置に関する。
【背景技術】
【０００２】
近年、小型の撮像装置が携帯電話機やモバイルコンピュータ等の小型の携帯端末（電子機器）に搭載されたことにより、音声情報や文字情報だけでなく画像情報も遠隔地へ伝送することが可能となっている。【０００３】
その撮像装置には、被写体を撮像し、被写体の画像データを取得するための撮像素子として、ＣＣＤ（Charge  Coupled  Device）型イメージセンサやＣＭＯＳ（Complementary  Metal  Oxide  Semiconductor）型イメージセンサ等が備えられている。
そして、この撮像素子に赤外線が到達してしまわないようにカットする赤外線吸収フィルタが撮像装置に備えられている。【０００４】
その赤外線吸収フィルタが、フィルタの外周側面を遮光板や絞り板、筐体などの開口部に接着剤によって貼付されて備えられている撮像装置が知られている（例えば、特許文献１参照。）。
【特許文献１】特開２００４−２６６３４０号公報
【発明の開示】
【発明が解決しようとする課題】
【０００５】
しかしながら、上記特許文献１の場合、近時における撮像装置の更なる薄型化に伴い、フィルム状に形成された赤外線吸収フィルタである赤外線吸収フィルム（赤外線カット部材）を所定の箇所に接着剤で貼付する際、薄いフィルムの側面の糊代となる面積は狭いため、接着剤がフィルムの側面から表面側に溢れて流れ出てしまうことがあった。
その赤外線吸収フィルムの表面における被写体光の光路に接着剤が付着してしまうと被写体の撮像の妨げになるので、その撮像装置は不良品となってしまい、好ましくないという問題があった。【０００６】
本発明の目的は、赤外線カット部材を容易且つ好適に組み付けることができる撮像装置を提供することである。
【課題を解決するための手段】
【０００７】
以上の課題を解決するため、請求の範囲第１項に記載の発明は、
撮像素子と、
前記撮像素子に被写体光を導く複数の光学部材と、
前記撮像素子及び前記光学部材を覆う外枠部材と、を備える撮像装置であって、
前記被写体光に含まれる赤外光を前記撮像素子に到達させないようにカットする赤外線カット部材を、前記光学部材間に挟んで固定したことを特徴としている。【０００８】
請求の範囲第２項に記載の発明は、
撮像素子と、
前記撮像素子に被写体光を導く光学部材と、
前記撮像素子及び前記光学部材を覆う外枠部材と、を備える撮像装置であって、
前記被写体光に含まれる赤外光を前記撮像素子に到達させないようにカットする赤外線カット部材を、前記光学部材と前記外枠部材との間に挟んで固定したことを特徴としている。【０００９】
請求の範囲第３項に記載の発明は、請求の範囲第１項又は第２項に記載の撮像装置において、
前記赤外線カット部材は、０．０２ｍｍ以上、０．２ｍｍ以下の厚さを有することを特徴としている。【００１０】
請求の範囲第４項に記載の発明は、請求の範囲第１項〜第３項のいずれか一項に記載の撮像装置において、
前記赤外線カット部材は、有機材料からなることを特徴としている。【００１１】
請求の範囲第５項に記載の発明は、請求の範囲第１項〜第４項のいずれか一項に記載の撮像装置において、
前記光学部材と前記外枠部材とが接着剤で密着されることにより、前記撮像素子が前記外枠部材内に封止されることを特徴としている。【００１２】
請求の範囲第６項に記載の発明は、請求の範囲第１項〜第５項のいずれか一項に記載の撮像装置において、
前記赤外線カット部材に入射する対角の主光線と、前記光学部材の光軸のなす角度は、３０°以下であることを特徴としている。
【発明の効果】
【００１３】
請求の範囲第１項に記載の発明によれば、撮像装置に備える赤外線カット部材を、撮像装置を構成する複数の光学部材間に挟んで固定することができる。
つまり、従来技術のように、赤外線カット部材を接着剤によって撮像装置における光学部材などの所定箇所に貼付する際に、赤外線カット部材の表面に接着剤が流れ出て付着してしまうことに伴うトラブルを防止することができるので、赤外線カット部材を撮像装置に好適に組み付けることができる。
また、赤外線カット部材を一方の光学部材上に載置した後に、他方の光学部材を重ねるようにして、それら光学部材間に赤外線カット部材を挟んで固定することができるので、赤外線カット部材を撮像装置に容易に組み付けることができる。特に、接着剤を塗布する接着工程を省くことで、赤外線カット部材を撮像装置に容易に組み付けることができる。【００１４】
請求の範囲第２項に記載の発明によれば、撮像装置に備える赤外線カット部材を、撮像装置を構成する光学部材と外枠部材との間に挟んで固定することができる。
つまり、従来技術のように、赤外線カット部材を接着剤によって撮像装置における光学部材や外枠部材などの所定箇所に貼付する際に、赤外線カット部材の表面に接着剤が流れ出て付着してしまうことに伴うトラブルを防止することができるので、赤外線カット部材を撮像装置に好適に組み付けることができる。
また、赤外線カット部材を外枠部材（又は、光学部材）の上に載置した後に、光学部材（又は、外枠部材）を重ねるようにして、それら光学部材と外枠部材の間に赤外線カット部材を挟んで固定することができるので、赤外線カット部材を撮像装置に容易に組み付けることができる。特に、接着剤を塗布する接着工程を省くことで、赤外線カット部材を撮像装置に容易に組み付けることができる。【００１５】
請求の範囲第３項に記載の発明によれば、請求の範囲第１項又は第２項に記載の発明と同様の効果が得られることは無論のこと、赤外線カット部材は、０．０２ｍｍ以上、０．２ｍｍ以下の厚さを有する薄いフィルム部材であるので、クリアランス精度よく、撮像装置における所定の部材間に好適に挟み込んで固定することができる。【００１６】
請求の範囲第４項に記載の発明によれば、請求の範囲第１項〜第３項のいずれか一項に記載の発明と同様の効果が得られることは無論のこと、赤外線カット部材は、有機材料（例えば、高分子樹脂）からなる部材であるので、チッピングを起こし難く、その赤外線カット部材の破片が撮像装置内で不具合を発生させることを防ぐことができる。【００１７】
請求の範囲第５項に記載の発明によれば、請求の範囲第１項〜第４項のいずれか一項に記載の発明と同様の効果が得られることは無論のこと、光学部材と外枠部材とが接着剤で密着されることにより、撮像素子を外枠部材内に封止することができるので、撮像素子を撮像装置内に密閉することができる。
つまり、撮像装置内に外部から塵埃等が侵入し難くなっており、撮像装置内の撮像素子に塵埃等が付着してしまうことに伴うトラブルを低減することができる。【００１８】
請求の範囲第６項に記載の発明によれば、請求の範囲第１項〜第５項のいずれか一項に記載の発明と同様の効果が得られることは無論のこと、赤外線カット部材に入射する対角の主光線と光学部材の光軸のなす角度が、３０°以下であるので、赤外線カット部材による光学特性の差は、撮像素子における中心位置と対角位置とで大きな差がないため、良好な画像が得られる。
【図面の簡単な説明】
【００１９】
【図１】本発明の実施形態１における撮像装置を示す上面図である。
【図２】図１のII−II線における断面図である。
【図３】図１のIII−III線における断面図である。
【図４】図１のIV−IV線における断面図である。
【図５】撮像装置の絞り蓋を取り外した状態を示す上面図である。
【図６】本発明の実施形態２における撮像装置を示す上面図である。
【図７】図６のVII−VII線における断面図である。
【図８】図６のVIII−VIII線における断面図である。
【図９】図６のIX−IX線における断面図である。
【図１０】図７のX−X線における断面図である。
【図１１】撮像素子の撮像領域の隅部を示す説明図である。
【発明を実施するための最良の形態】
【００２０】
以下、図を参照して本発明の実施の形態を詳細に説明する。
（実施形態１）
図１は、本実施形態における撮像装置１００の上面図であり、図２は、図１のII−II線における断面図、図３は、図１のIII−III線における断面図、図４は、図１のIV−IV線における断面図である。図５は、撮像装置１００の絞り蓋１７を取り外した状態を示す上面図である。
なお、図２〜図４において、本発明の撮像装置の光軸方向に沿う前後方向を、図視に相当する上下方向として、以下の説明を行う。【００２１】
撮像装置１００は、図１から図５に示すように、基板１と、基板１の一方の面上に配設された撮像素子２と、撮像素子２の上面に載設される光学ユニット１０と、光学ユニット１０と撮像素子２を覆い隠す外枠部材３０等を備えている。【００２２】
光学ユニット１０は、撮像素子２の上面に配設される光学部材としての下レンズ１１と、下レンズ１１の上面に配設される光学部材としての上レンズ１２と、下レンズ１１と上レンズ１２の間に介装される光学部材としての絞り板１３と、絞り板１３と下レンズ１１の間に挟持される赤外線カット部材である赤外線吸収フィルム１４と、遮光シート１５と、を備えている。
外枠部材３０は、基板１に固定される鏡枠１６と、鏡枠１６の上部に配設される絞り蓋１７と、を備えている。【００２３】
基板１には、撮像素子２が実装されている。また、基板１には図示しないフレキシブル基板が備えられており、そのフレキシブル基板を介して、基板１（撮像装置１００）が所定の電子機器に接続される。【００２４】
撮像素子２は、例えば、ＣＣＤ型イメージセンサやＣＭＯＳ型イメージセンサであり、その下面が基板１の上面に取り付けられている。
また、撮像素子２の上面中央には、画素が２次元的に配列された撮像領域が形成されている。そして、その撮像領域の外側の非撮像領域に、下レンズ１１の当接部１１ｃが当接するようになっている。
なお、撮像素子２の結線用端子であるパッド（図示省略）は、ワイヤＷ（図３参照）を介して基板１に接続されている。そのワイヤＷは、基板１上の所定の回路に接続されている。【００２５】
下レンズ１１は、被写体光が透過するレンズ部１１ａと、レンズ部１１ａの周囲に設けられる環状の脚部１１ｂと、脚部１１ｂの下端に設けられる当接部１１ｃと、脚部１１ｂの上端に設けられる冠部１１ｄと、脚部１１ｂから外側の側方に延在する延出部１１ｅと、を有している。
この下レンズ１１は、当接部１１ｃを撮像素子２に突き当てるとともに、延出部１１ｅを鏡枠１６の嵌合溝１６ｃに嵌め込むように配されている。【００２６】
上レンズ１２は、被写体光が透過するレンズ部１２ａと、レンズ部１２ａの周囲に設けられる環状のフランジ部１２ｂと、フランジ部１２ｂの下部に設けられる係合部１２ｃと、を有している。
この上レンズ１２は、上レンズ１２の係合部１２ｃが下レンズ１１の冠部１１ｄの内周面に嵌め合わされるとともに接着されて、下レンズ１１の上面に取り付けられている。【００２７】
絞り板１３は、その中央に不要光をカットする絞りとしての開口部１３ａを有している。
そして、絞り板１３は、その上面が上レンズ１２に当接するとともに、その下面と下レンズ１１との間に赤外線吸収フィルム１４と遮光シート１５とを挟み込むように配されている。【００２８】
赤外線吸収フィルム１４は、赤外線吸収特性を有する有機材料（例えば、高分子樹脂）が、厚さ０．０２ｍｍから０．２ｍｍに成形されたフィルム部材である。また、赤外線吸収フィルム１４は、フィルム状に成形した所定の有機材料に、赤外線吸収特性を有する膜をコーティングして形成してもよい。
この赤外線吸収フィルム１４は、被写体光に含まれる赤外光を撮像素子２に到達させないようにカットする。
遮光シート１５は、その中央に不要光をカットする絞りとしての開口部１５ａを有しているシート部材である。【００２９】
そして、赤外線吸収フィルム１４と遮光シート１５とは、絞り板１３ととともに、下レンズ１１と上レンズ１２の間に挟持されている。具体的には、赤外線吸収フィルム１４と遮光シート１５は、遮光シート１５の上に赤外線吸収フィルム１４が配された状態で、絞り板１３と下レンズ１１の間に挟持されて固定されている。
特に、赤外線吸収フィルム１４と遮光シート１５とは、接着剤を用いずに、絞り板１３と下レンズ１１の挟持力に支持されて固定されている。つまり、下レンズ１１と上レンズ１２の間に、絞り板１３と赤外線吸収フィルム１４と遮光シート１５とが密着するように配置されるとともに、絞り板１３と下レンズ１１の間の隙間が、赤外線吸収フィルム１４と遮光シート１５が重なった厚みとほぼ同じになるように調整されている。
なお、赤外線吸収フィルム１４と遮光シート１５の外周形状は、下レンズ１１のレンズ部１１ａの上面であって冠部１１ｄの内周形状とほぼ同じ形状を有している。【００３０】
鏡枠１６は、遮光性を有する素材からなる筐体であり、光学ユニット１０の外側に配置されている。
鏡枠１６は、光学ユニット１０を支持する内装部１６ａと、基板１に取り付けられる外装部１６ｂを有している。
また、内装部１６ａには、下レンズ１１の延出部１１ｅが嵌め込まれる嵌合溝１６ｃが形成されている。この嵌合溝１６ｃに、下レンズ１１の延出部１１ｅが嵌め込まれることによって、下レンズ１１（光学ユニット１０）が、レンズの光軸を中心とした回転をしてしまわないように、その姿勢や向きを規制することが可能になっている。【００３１】
この鏡枠１６の嵌合溝１６ｃに下レンズ１１の延出部１１ｅを位置合わせするように、鏡枠１６の内装部１６ａに光学ユニット１０の下レンズ１１を挿入すると、内装部１６ａの下部の内周面と下レンズ１１の外周面とが当接するとともに、内装部１６ａと下レンズ１１との間に所定の空間が形成される。
そして、内装部１６ａと下レンズ１１との間の隙間に、基板１や撮像素子２の上面に対して垂直な方向に接着剤Ｂを注入するとともに、その隙間の開口側では、基板１や撮像素子２の上面に対して平行な方向に接着剤Ｂを流し入れて、下レンズ１１（光学ユニット１０）を鏡枠１６に接着する。
この内装部１６ａと下レンズ１１との間の空間（隙間）に充填された接着剤Ｂによって、下レンズ１１（光学ユニット１０）と鏡枠１６とが密着されて固定されている。【００３２】
絞り蓋１７は、その中央に不要光をカットする絞りとしての開口部１７ａを有しており、鏡枠１６の上部に接着剤Ｂにより固着されている。なお、絞り蓋１７は、遮光性を有する素材からなる。【００３３】
そして、鏡枠１６の外装部１６ｂが基板１の上面の所定位置に接着剤Ｂにより固着されると、下レンズ１１の当接部１１ｃが撮像素子２に当接するとともに、光学ユニット１０の光軸が撮像素子２に位置決めされて、光学ユニット１０（下レンズ１１、上レンズ１２、絞り板１３）が撮像素子２の撮像領域に被写体光を導くことが可能となるとともに、所定のピント位置を得る。
特に、鏡枠１６の外装部１６ｂの下端における外周面の全周に亘って接着剤Ｂを基板１の上面に対して付着させることによって、鏡枠１６と基板１とが密着するように固定することができる。
つまり、下レンズ１１と鏡枠１６とが接着剤Ｂによって接着されて、光学ユニット１０が外枠部材３０に固着されているので、鏡枠１６と基板１とを接着剤Ｂで固着することにより、外枠部材３０とともに光学ユニット１０を、撮像素子２が備えられている基板１に固定することができ、撮像装置１００を組み立てることができる。【００３４】
なお、図４に示すように、赤外線吸収フィルム１４に入射する対角の主光線と光学部材（下レンズ１１、上レンズ１２、絞り板１３）の光軸のなす角度は、０°以上３０°以下となるように調整されているので、赤外線吸収フィルム１４による光学特性の差は、撮像素子２の中心位置と対角位置とで大きな差がないため、良好な画像が得られる。
なお、ここでいう対角とは、撮像素子２の撮像領域における対角の隅部２ａ（図１１参照）を指している。【００３５】
このように、鏡枠１６に光学ユニット１０が固定された外枠部材３０を基板１に固定することによって、光学ユニット１０の光軸が撮像素子２に位置合わせされた構造を有する撮像装置１００を構成することができる。【００３６】
特に、本発明に係る撮像装置１００の光学ユニット１０において、下レンズ１１と上レンズ１２の間に絞り板１３とともに赤外線吸収フィルム１４と遮光シート１５を介装するとともに、絞り板１３と下レンズ１１の間に赤外線吸収フィルム１４と遮光シート１５を挟み込むことによって、接着剤を使用せずに、赤外線吸収フィルム１４と遮光シート１５を光学ユニット１０（撮像装置１００）に固定することができる。そして、赤外線吸収フィルム１４は、０．０２ｍｍ以上、０．２ｍｍ以下の厚さを有する薄いフィルム部材であるので、撮像装置１００における下レンズ１１と上レンズ１２（絞り板１３）の間にクリアランス精度よく好適に挟み込んで固定することができる。
つまり、従来のように、赤外線吸収フィルム１４を接着剤によってレンズなどの所定箇所に貼付する際に、赤外線吸収フィルム１４の表面に接着剤が流れ出て付着してしまうことに伴うトラブルを防止することができるので、赤外線吸収フィルム１４を撮像装置１００に好適に組み付けることができる。【００３７】
また、赤外線吸収フィルム１４と遮光シート１５の外周形状は、下レンズ１１のレンズ部１１ａの上面に対応する冠部１１ｄの内周形状とほぼ同じ形状を有しているので、下レンズ１１のレンズ部１１ａの上面に遮光シート１５、赤外線吸収フィルム１４の順に載置して、更に絞り板１３を重ねた後に、上レンズ１２を下レンズ１１の上面（冠部１１ｄ）に取り付けて固定することによって、光学ユニット１０を容易に組み付けることができる。特に、接着剤を塗布する接着工程を省くことで、赤外線吸収フィルム１４を容易に組み付けることができる。【００３８】
このように、撮像装置１００において、赤外線吸収フィルム１４を光学ユニット１０に容易に組み付けることができるとともに、接着剤を使用しないことによって、接着剤によるトラブルを防止して好適に組み付けることができる。
よって、撮像装置１００は、赤外線吸収フィルム１４を容易且つ好適に組み付けることができる撮像装置であるといえる。【００３９】
また、撮像装置１００において、光学ユニット１０の下レンズ１１の外周面が、鏡枠１６の内装部１６ａの内周面に接着剤Ｂによって密着されるとともに、鏡枠１６の外装部１６ｂの下端の全周が、基板１の上面に接着剤Ｂによって密着されているので、撮像素子２は、鏡枠１６と光学ユニット１０（下レンズ１１）と基板１とによって封止されて、撮像装置１００内に密閉されている。従って、撮像装置１００内に外部から塵埃等が侵入し難くなっており、撮像素子２に塵埃等が付着してしまうことに伴うトラブルを低減することができる。
また、赤外線吸収フィルム１４は、有機材料（例えば、高分子樹脂）からなる部材であるので、ガラスなどからなる赤外線吸収フィルタよりチッピングを起こし難く、その赤外線吸収フィルム１４の破片が撮像装置１００内で撮像素子２に付着してしまうなどの不具合を発生させることを防ぐことができる。【００４０】
（実施形態２）
次に、本発明に係る撮像装置の実施形態２について説明する。なお、実施形態１と同一部分には同一符号を付し、異なる部分についてのみ説明する。【００４１】
図６は、本実施形態における撮像装置２００の平面図であり、図７は、図６のVII−VII線における断面図、図８は、図６のVIII−VIII線における断面図、図９は、図６のIX−IX線における断面図である。図１０は、図７のX−X線における断面図である。
なお、図７〜図９において、本発明の撮像装置の光軸方向に沿う前後方向を、図視に相当する上下方向として、以下の説明を行う。【００４２】
撮像装置２００は、図６から図１０に示すように、基板１と、基板１の一方の面上に配設された撮像素子２と、撮像素子２の上面に載設される光学ユニット２０と、光学ユニット２０と撮像素子２を覆い隠す外枠部材４０等を備えている。【００４３】
光学ユニット２０は、撮像素子２の上面に配設される光学部材としての第１レンズ２１と、第１レンズ２１の上面に配設される光学部材としての第２レンズ２２と、第２レンズ２２の上面に配設される光学部材としての第３レンズ２３と、第１レンズ２１の下方に配設される赤外線カット部材である赤外線吸収フィルム２４と、第１レンズ２１と第２レンズ２２の間に介装される絞り板２５と、第２レンズ２２と第３レンズ２３の間に介装される遮光シート２６と、第３レンズ２３の上面に配設される遮光シート２７と、を備えている。
外枠部材４０は、基板１に固定される鏡枠２８と、鏡枠２８の上部に配設される絞り蓋２９と、を備えている。【００４４】
基板１には、撮像素子２が実装されている。また、基板１には図示しないフレキシブル基板が備えられており、そのフレキシブル基板を介して、基板１（撮像装置２００）が所定の電子機器に接続される。
撮像素子２は、例えば、ＣＣＤ型イメージセンサやＣＭＯＳ型イメージセンサであり、その下面が基板１の上面に取り付けられている。
また、撮像素子２の上面中央には、画素が２次元的に配列された撮像領域が形成されている。そして、その撮像領域の外側の非撮像領域に、第１レンズ２１の当接部２１ｃが当接するようになっている。
なお、撮像素子２の結線用端子であるパッド（図示省略）は、ワイヤＷ（図９参照）を介して基板１に接続されている。そのワイヤＷは、基板１上の所定の回路に接続されている。【００４５】
第１レンズ２１は、被写体光が透過するレンズ部２１ａと、レンズ部２１ａの周囲に設けられる環部２１ｂと、環部２１ｂの下端に設けられる４つの当接部２１ｃと、環部２１ｂの上端に設けられる冠部２１ｄと、環部２１ｂから下方に延在する２つの延出部２１ｅと、を有している。
この第１レンズ２１は、当接部２１ｃを鏡枠２８の内装部２８ａの貫通孔２８ｃを通じて撮像素子２に突き当てるとともに、延出部２１ｅを鏡枠２８の内装部２８ａの上面側に突き当てるように配されている。【００４６】
第２レンズ２２は、被写体光が透過するレンズ部２２ａと、レンズ部２２ａの周囲に設けられる環状のフランジ部２２ｂと、フランジ部２２ｂの下部に設けられる係合部２２ｃと、フランジ部２２ｂの上部に設けられる冠部２２ｄと、を有している。
この第２レンズ２２は、第２レンズ２２の係合部２２ｃが第１レンズ２１の冠部２１ｄの内周面に嵌め合わされるとともに接着されて、第１レンズ２１の上面に取り付けられている。【００４７】
第３レンズ２３は、被写体光が透過するレンズ部２３ａと、レンズ部２３ａの周囲に設けられる環状のフランジ部２３ｂと、フランジ部２３ｂの上部に設けられる冠部２３ｃと、を有している。
この第３レンズ２３は、フランジ部２３ｂの底面が第２レンズ２２の冠部２２ｄの内周面に嵌め合わされるとともに接着されて、第２レンズ２２の上面に取り付けられている。【００４８】
赤外線吸収フィルム２４は、被写体光に含まれる赤外光を撮像素子２に到達させないようにカットする部材であり、厚さ０．０２ｍｍから０．２ｍｍに成形された有機材料（例えば、高分子樹脂）からなるフィルム部材である。
この赤外線吸収フィルム２４は、図１０に示すように、平面視略十字形状を呈するように成形されている。そして、赤外線吸収フィルム２４は、鏡枠２８の内装部２８ａの上面において、その赤外線吸収フィルム２４の外周形状とほぼ同じ形状に一段低く形成された載置面に載置されるとともに、その赤外線吸収フィルム２４の四隅に相当する切欠部に第１レンズ２１の当接部２１ｃが位置するように配されている。それによって、赤外線吸収フィルム２４は、鏡枠２８の内装部２８ａの上面に位置合わせされて、光学ユニット２０のレンズの光軸を中心とした回転をしてしまわないように、その向きが規制されている。【００４９】
また、赤外線吸収フィルム２４は、第１レンズ２１の延出部２１ｅと鏡枠２８の内装部２８ａの間に挟持されるように配されている。延出部２１ｅは、図１０に示すように、平面視略三日月形状を呈する底面を有しており、鏡枠２８の内周面や赤外線吸収フィルム２４の外周形状に沿うようになっているので、この延出部２１ｅは赤外線吸収フィルム２４を内装部２８ａの上面に、より密着させるように支持することが可能になっている。それによって、赤外線吸収フィルム２４は、第１レンズ２１と鏡枠２８との間に挟まれて固定されている。
特に、赤外線吸収フィルム２４は、接着剤を用いずに、第１レンズ２１と鏡枠２８の挟持力に支持されて固定されている。つまり、第１レンズ２１の延出部２１ｅと鏡枠２８の内装部２８ａの間に、赤外線吸収フィルム２４が密着するように配置されるとともに、その延出部２１ｅと内装部２８ａの間の隙間が、赤外線吸収フィルム２４の厚みとほぼ同じとなるように調整されている。【００５０】
絞り板２５は、その中央に不要光をカットする絞りとしての開口部２５ａを有している。そして、絞り板２５は、その下面が第１レンズ２１に当接するとともに、その上面が第２レンズ２２に当接するように配されている。【００５１】
遮光シート２６は、その中央に不要光をカットする絞りとしての開口部２６ａを有しているシート部材である。そして、遮光シート２６は、その下面が第２レンズ２２に当接するとともに、その上面が第３レンズ２３に当接するように配されている。
遮光シート２７は、その中央に不要光をカットする絞りとしての開口部２７ａを有しているシート部材である。そして、遮光シート２７は、第３レンズ２３の冠部２３ｃの内側であって、フランジ部２３ｂの上面に両面テープによって貼付されて配されている。【００５２】
鏡枠２８は、遮光性を有する素材からなる筐体であり、光学ユニット２０の外側に配置されている。
鏡枠２８は、光学ユニット２０を支持する内装部２８ａと、基板１に取り付けられる外装部２８ｂを有している。
また、内装部２８ａには、第１レンズ２１の当接部２１ｃが挿入される貫通孔２８ｃが形成されている。この貫通孔２８ｃに、第１レンズ２１の当接部２１ｃが挿入されることによって、第１レンズ２１（光学ユニット２０）が、レンズの光軸を中心とした回転をしてしまわないように、その姿勢や向きを規制することが可能になっている。【００５３】
この鏡枠２８の貫通孔２８ｃに光学ユニット２０における第１レンズ２１の当接部２１ｃを位置合わせするように挿入すると、鏡枠２８の内周面と、第１レンズ２１と第２レンズ２２の外周面とが当接する。また、第１レンズ２１の延出部２１ｅが鏡枠２８の内装部２８ａ上の赤外線吸収フィルム２４に当接する。
そして、第２レンズ２２のフランジ部２２ｂの外周側上面から鏡枠２８の内周面に亘る範囲に接着剤Ｂを注入して流し入れて、第２レンズ２２（光学ユニット２０）を鏡枠２８に接着する。
この第２レンズ２２のフランジ部２２ｂの上面から鏡枠２８の内周面にかけて充填された接着剤Ｂによって、第２レンズ２２（光学ユニット２０）と鏡枠２８とが密着されて固定されている。【００５４】
絞り蓋２９は、その中央に不要光をカットする絞りとしての開口部２９１ａを有する遮光シート２９１と、遮光シート２９１を支持するとともに鏡枠２８の上部に取り付けられる蓋部２９２と、を備えている。
なお、遮光シート２９１は、蓋部２９２の上面に両面テープによって貼付されて配設されている。また、蓋部２９２は、鏡枠２８の上部に接着剤Ｂにより固着されている。なお、遮光シート２９１と蓋部２９２は、遮光性を有する素材からなる。【００５５】
そして、鏡枠２８の外装部２８ｂが基板１の上面の所定位置に接着剤Ｂにより固着されると、第１レンズ２１の当接部２１ｃが撮像素子２に当接するとともに、光学ユニット２０の光軸が撮像素子２に位置決めされて、光学ユニット２０（第１レンズ２１、第２レンズ２２、第３レンズ２３、絞り板２５等）が撮像素子２の撮像領域に被写体光を導くことが可能となるとともに、所定のピント位置を得る。
特に、鏡枠２８の外装部２８ｂの下端における外周面の全周に亘って接着剤Ｂを基板１の上面に対して付着させることによって、鏡枠２８と基板１とが密着するように固定することができる。
つまり、第２レンズ２２と鏡枠２８とが接着剤Ｂによって接着されて、光学ユニット２０が外枠部材４０に固着されているので、鏡枠２８と基板１とを接着剤Ｂで固着することにより、外枠部材４０とともに光学ユニット２０を、撮像素子２が備えられている基板１に固定することができ、撮像装置２００を組み立てることができる。【００５６】
なお、図８に示すように、赤外線吸収フィルム２４に入射する対角の主光線と光学部材（第１レンズ２１、第２レンズ２２、第３レンズ２３、絞り板２５等）の光軸のなす角度は、０°以上３０°以下となるように調整されているので、赤外線吸収フィルム２４による光学特性の差は、撮像素子２の中心位置と対角位置とで大きな差がないため、良好な画像が得られる。
なお、ここでいう対角とは、撮像素子２の撮像領域における対角の隅部２ａ（図１１参照）を指している。【００５７】
このように、鏡枠２８に光学ユニット２０が固定された外枠部材４０を基板１に固定することによって、光学ユニット２０の光軸が撮像素子２に位置合わせされた構造を有する撮像装置２００を構成することができる。【００５８】
特に、本発明に係る撮像装置２００において、第１レンズ２１の延出部２１ｅと鏡枠２８の内装部２８ａの間に赤外線吸収フィルム２４を挟み込むことによって、接着剤を使用せずに、赤外線吸収フィルム２４を光学ユニット２０（撮像装置２００）に固定することができる。そして、赤外線吸収フィルム２４は、０．０２ｍｍ以上、０．２ｍｍ以下の厚さを有する薄いフィルム部材であるので、撮像装置２００における第１レンズ２１と鏡枠２８の間にクリアランス精度よく好適に挟み込んで固定することができる。
つまり、従来のように、赤外線吸収フィルム２４を接着剤によってレンズや鏡枠などの所定箇所に貼付する際に、赤外線吸収フィルム２４の表面に接着剤が流れ出て付着してしまうことに伴うトラブルを防止することができるので、赤外線吸収フィルム２４を撮像装置２００に好適に組み付けることができる。【００５９】
また、鏡枠２８の内装部２８ａの上面の載置面は、赤外線吸収フィルム２４の外周形状とほぼ同じ形状を有しているので、鏡枠２８の内装部２８ａの上面に赤外線吸収フィルム２４を載置した後に、光学ユニット２０における第１レンズ２１の当接部２１ｃを鏡枠２８の内装部２８ａの貫通孔２８ｃに挿入して固定することによって、光学ユニット２０を容易に組み付けることができる。特に、接着剤を塗布する接着工程を省くことで、赤外線吸収フィルム２４を容易に組み付けることができる。【００６０】
このように、撮像装置２００において、赤外線吸収フィルム２４を光学ユニット２０（撮像装置２００）に容易に組み付けることができるとともに、接着剤を使用しないことによって、接着剤によるトラブルを防止して好適に組み付けることができる。
よって、撮像装置２００は、赤外線吸収フィルム２４を容易且つ好適に組み付けることができる撮像装置であるといえる。【００６１】
また、撮像装置２００において、光学ユニット２０の第２レンズ２２のフランジ部２２ｂの外周側上面から鏡枠２８の内周面にかけて接着剤Ｂによって密着されるとともに、鏡枠２８の外装部２８ｂの下端の全周が、基板１の上面に接着剤Ｂによって密着されているので、撮像素子２は、鏡枠２８と光学ユニット２０（第２レンズ２２）と基板１とによって封止されて、撮像装置２００内に密閉されている。従って、撮像装置２００内に外部から塵埃等が侵入し難くなっており、撮像素子２に塵埃等が付着してしまうことに伴うトラブルを低減することができる。
また、赤外線吸収フィルム２４は、有機材料（例えば、高分子樹脂）からなる部材であるので、ガラスなどからなる赤外線吸収フィルタよりチッピングを起こし難く、その赤外線吸収フィルム２４の破片が撮像装置２００内で撮像素子２に付着してしまうなどの不具合を発生させることを防ぐことができる。【００６２】
なお、以上の実施の形態においては、光学部材としてのレンズと光学部材としての絞り板との間に赤外線吸収フィルムを挟んで固定する例と、光学部材としてのレンズと外枠部材としての鏡枠との間に赤外線吸収フィルムを挟んで固定する例を挙げて説明したが、本発明はこれに限定されるものではなく、赤外線吸収フィルムは、光学部材としてのレンズとレンズの間に挟持されていてもよく、また、赤外線吸収フィルムは、光学部材としてのシート部材（例えば、遮光シート）や、外枠部材としてのシート部材など、光学ユニットや撮像装置を構成するその他の部材によって挟持されていてもよい。【００６３】
また、その他、具体的な細部構造等についても適宜に変更可能であることは勿論である。
【産業上の利用可能性】
【００６４】
本発明は、以上のように構成されていることから、撮像装置を携帯電話機やモバイルコンピュータ等の小型の携帯端末機器などに搭載することができ、それら機器に撮像機能を付与することに利用できる。
【符号の説明】
【００６５】
１      基板
２      撮像素子
２ａ    隅部
１０    光学ユニット
１１    下レンズ（光学部材）
１１ａ  レンズ部
１１ｂ  脚部
１１ｃ  当接部
１１ｄ  冠部
１１ｅ  延出部
１２    上レンズ（光学部材）
１２ａ  レンズ部
１２ｂ  フランジ部
１２ｃ  係合部
１３    絞り板（光学部材）
１４    赤外線吸収フィルム（赤外線カット部材）
１５    遮光シート
１６    鏡枠
１６ａ  内装部
１６ｂ  外装部
１６ｃ  嵌合溝
１７    絞り蓋
２０    光学ユニット
２１    第１レンズ（光学部材）
２１ａ  レンズ部
２１ｂ  環部
２１ｃ  当接部
２１ｄ  冠部
２１ｅ  延出部
２２    第２レンズ（光学部材）
２２ａ  レンズ部
２２ｂ  フランジ部
２２ｃ  係合部
２２ｄ  冠部
２３    第３レンズ（光学部材）
２３ａ  レンズ部
２３ｂ  フランジ部
２３ｃ  冠部
２４    赤外線吸収フィルム（赤外線カット部材）
２５    絞り板（光学部材）
２６    遮光シート
２７    遮光シート
２８    鏡枠
２８ａ  内装部
２８ｂ  外装部
２８ｃ  貫通孔
２９    絞り蓋
２９１  遮光シート
２９２  蓋部
３０、４０  外枠部材
１００、２００  撮像装置
Ｂ      接着剤
【図１】
2007099845.tif 000003
【図２】
2007099845.tif 000004
【図３】
2007099845.tif 000005
【図４】
2007099845.tif 000006
【図５】
2007099845.tif 000007
【図６】
2007099845.tif 000008
【図７】
2007099845.tif 000009
【図８】
2007099845.tif 000010
【図９】
2007099845.tif 000011
【図１０】
2007099845.tif 000012
【図１１】
2007099845.tif 000013
【国際調査報告】
2007099845.tif 000014
2007099845.tif 000015
2007099845.tif 000016